(57)【特許請求の範囲】
【請求項１】
所定の外径及び厚さを有する平たい頭部及び該頭部から延び前記頭部よりも径の小さい脚部を有し、該脚部の先端部を除く少なくとも一部が粘着性のシール部材により被覆された留め具と、
上部が開口し、前記留め具を収容可能な箱本体部と、
前記箱本体部に設けられ、前記頭部及び前記脚部の先端部を支持して前記留め具を固定する支持部と、を備え、
前記箱本体部は、矩形状の底面部と、該底面部の周囲から起立するとともに前記箱本体部の内側に面する内壁面及び該内壁面に間隔を空けて前記内壁面の外側に配置される外壁面を有する側壁部と、を有し、
前記支持部は、前記側壁部を構成する第１側壁部に形成され、前記頭部を支持する第１支持部を有し、
前記第１側壁部は、前記内壁面と前記外壁面との間に前記頭部を収容可能な中空状に形成され、
前記第１支持部は、前記内壁面に設けられ、
前記内壁面及び前記外壁面との間の距離は、前記頭部を収容可能に前記頭部よりも大きく、前記頭部の前記厚さに対応している、留め具の梱包構造。
【請求項２】
所定の間隔を空けて配置される前記支持部を複数備える請求項１に記載の留め具の梱包構造。
【請求項３】
前記支持部は、前記側壁部を構成し且つ前記第１側壁部に対向する第２側壁部に前記第１支持部に対向して形成され、前記脚部の先端部を支持する第２支持部を有する請求項１又は２に記載の留め具の梱包構造。
【請求項４】
前記第１支持部は、前記第１側壁部の上面から内壁面に亘って設けられた切欠きにより形成される請求項３に記載の留め具の梱包構造。
【請求項５】
前記切欠きは、前記上面に向かうに従って幅が広がる略三角形の案内部と、
前記案内部の下方に配置され、前記留め具の前記頭部と前記脚部との間の首部よりもわずかに大きな首部挿入部により構成される、請求項４に記載の留め具の梱包構造。
【請求項６】
前記第２側壁部は、中空状に形成され、
前記第２支持部は、前記第２側壁部の内壁面に設けられた孔により形成される請求項３〜５のいずれか１項に記載の留め具の梱包構造。
【請求項７】
前記箱本体部の前記開口を覆う蓋部をさらに備え、
前記箱本体部及び前記蓋部は、紙材の表面をプラスチックフィルムで被覆した材料からなる請求項３〜６のいずれか１項に記載の留め具の梱包構造。
【発明の詳細な説明】
【技術分野】
【０００１】
本発明は、留め具の梱包構造に関する。具体的には、粘着性のシール部材が設けられた留め具を梱包する梱包構造に関する。
【背景技術】
【０００２】
従来、住宅の屋根のような高い防水性が求められる場所に、ネジ等の留め具で建築材料を固定する場合、留め具を挿入する穴に防水性の高いコーキング剤等のシール部材を注入することで、防水性を向上させることが知られている。また、穴に挿入する留め具の脚部をこのシール部材で予め被覆し、シール部材の注入と留め具の取り付けを同時に行うことで、作業効率を高めることが知られている（特許文献１参照）。
【０００３】
ところで、上記シール部材は粘着性を有するため、シール部材によって留め具同士が互いにくっついたり、他の部品等に付着するという不具合が生じる。そこで、特許文献１の留め具では、容易に剥がすことのできるリケイ紙によりシール部材を覆うことで、上記不具合の発生を回避している。
【先行技術文献】
【特許文献】
【０００４】
【特許文献１】特開２０１３−１９００３１号公報
【発明の概要】
【発明が解決しようとする課題】
【０００５】
しかしながら、特許文献１のように留め具の一本一本をリケイ紙で覆う構成では、留め具を一本使用するたびにリケイ紙を剥がす必要が生じるため、施工性が悪い。
また、剥がしたリケイ紙はごみとなるため、小さなごみが多量に発生することになるところ、屋根等の高所で作業を行う場合には、ごみが風に飛ばされて散乱するという問題があった。
【０００６】
本発明は上記に鑑みてなされたものであり、その目的は、粘着性のシール部材を付着させた留め具を用いた作業の施工性を向上でき、小さなごみの発生を回避できる留め具の梱包構造を提供することにある。
【課題を解決するための手段】
【０００７】
上記目的を達成するため本発明は、頭部（例えば、後述の頭部２１）及び該頭部から延びる脚部（例えば、後述の脚部２２）を有し、該脚部の先端部を除く少なくとも一部が粘着性のシール部材（例えば、後述のシール部材２４）により被覆された留め具（例えば、後述の留め具２）と、前記頭部及び前記脚部の先端部を支持して前記留め具を固定する支持部と（例えば、後述の支持部４）、を備える留め具の梱包構造（例えば、後述の留め具の梱包構造１）を提供する。
【０００８】
所定の間隔を空けて配置される前記支持部を複数備えることが好ましい。
【０００９】
開口を有し、前記留め具を収容する箱本体部（例えば、後述の箱本体部３１）をさらに備え、前記箱本体部は、矩形状の底面部（例えば、後述の底面部３３）と、該底面部の周囲から起立する側壁部（例えば、後述の側壁部３４）と、を有し、前記支持部は、前記側壁部を構成する第１側壁部（例えば、後述の第１側壁部３４１）に形成され、前記頭部を支持する第１支持部（例えば、後述の第１支持部４１）と、前記側壁部を構成し且つ前記第１側壁部に対向する第２側壁部（例えば、後述の第１側壁部３４１）に前記第１支持部に対向して形成され、前記脚部の先端部を支持する第２支持部（例えば、後述の第２支持部４２）と、を有することが好ましい。
【００１０】
前記第１側壁部は、中空状に形成され、前記第１支持部は、前記第１側壁部の上面（例えば、後述の第１上面部３４１ａ）から内壁面（例えば、後述の第１内壁面３４１ｂ）に亘って設けられた切欠きにより形成されることが好ましい。
【００１１】
前記第２側壁部は、中空状に形成され、前記第２支持部は、前記第２側壁部の内壁面に設けられた孔により形成されることが好ましい。
【００１２】
前記第２側壁部は、中空状に形成され、前記第２支持部は、前記第２側壁部の内壁面に設けられた孔により形成されることが好ましい。
【００１３】
前記箱本体部の前記開口を覆う蓋部（例えば、後述の蓋部３２）をさらに備え、前記箱本体部及び前記蓋部は、紙材の表面をプラスチックフィルムで被覆した材料からなることが好ましい。
【発明の効果】
【００１４】
本発明によれば、粘着性のシール部材を付着させた留め具を用いた作業の施工性を向上でき、小さなごみの発生を回避できる留め具の梱包構造を提供することができる。
【図面の簡単な説明】
【００１５】
【図１】第１実施形態の留め具の梱包構造を示す斜視図である。
【図２】第１実施形態の留め具の斜視図である。
【図３】第１実施形態の留め具の梱包構造を示す平面図である。
【図４】図２のＡ−Ａ線断面図である。
【図５】第１実施形態の梱包箱の展開図である。
【図６】第２実施形態の留め具の梱包構造を示す斜視図である。
【発明を実施するための形態】
【００１６】
以下、本発明の第１実施形態について、図面を参照しながら詳しく説明する。
【００１７】
図１は、第１実施形態に係る留め具の梱包構造１の斜視図である。
図１に示すように、留め具の梱包構造１は、複数の留め具２と、留め具２を内部に収容する梱包箱３と、を有する。留め具２は、梱包箱３に梱包された状態で、例えば屋根の上に持ち運ばれ、太陽エネルギー利用装置の取り付け等に用いられる。なお、梱包箱３は、留め具２を１０本収容可能であり、図１では、留め具２を８本収容した状態を示している（図３も同様）。
【００１８】
図２は、留め具２の斜視図である。留め具２としては、本実施形態ではネジが用いられる。図２に示すように、留め具２は、頭部２１と、脚部２２と、首部２３と、シール部材２４と、を有する。
【００１９】
頭部２１は、所定の外径及び厚さを有する平たい部材であり、留め具２をネジ穴に挿入した際にネジ穴の外に残る部分である。頭部２１は、上面部２１ａと、上面部２１ａの裏側の下面部２１ｂとを有する。本実施形態では、頭部２１は、下面部２１ｂ側が円盤状に形成され、この円盤状部分の上側に、円盤状部分と一体となった六角形の部分が形成されて、六角形の部分の上面が上面部２１ａを構成するように形成されている。頭部２１は、上面部２１ａに、ネジを取り付ける際にドライバーを挿入するために形成される溝２１ｃを有する。
【００２０】
脚部２２は、頭部２１の下面部２１ｂから一方向に延び、頭部２１の中心を同心とする長細い棒状の部材である。脚部２２は、先端に向かって徐々に縮径する先端部２２ａを有する。脚部２２は、その外面に沿って螺旋状にネジ山２２ｂが形成されている。
首部２３は、頭部２１と脚部２２との境界の部分である。
【００２１】
シール部材２４は、コーキング剤であり、例えばブチル系のコーキング剤により構成される。シール部材２４は、ブチル系のコーキング剤の特性として、高い防水性を有する一方、粘着性を有する。シール部材２４は、留め具２の先端部２２ａを除く少なくとも一部を被覆している。シール部材２４は、留め具２がネジ穴に挿入された際に、留め具２とネジ穴との隙間を密閉するものである。
【００２２】
図３は、留め具の梱包構造１の上面図である。図３に示すように、梱包箱３は、箱本体部３１と、蓋部３２と、を有する。
【００２３】
箱本体部３１は、上面が開口した直方体の形状をしており、底面部３３と、側壁部３４と、支持部４と、を有する。
底面部３３は、長方形の平坦な面である。
側壁部３４は、底面部３３の周囲から箱本体部３１の高さ方向に起立している。側壁部３４は、第１側壁部３４１と、第２側壁部３４２と、第３側壁部３４３と、第４側壁部３４４と、蓋係止部３５と、により構成される。
【００２４】
第１側壁部３４１は、箱本体部３１の長手方向に沿って配置されている。図３に示すように、第１側壁部３４１は、所定の厚みを有し、内部が中空に形成されている。第１側壁部３４１は、上面としての第１上面部３４１ａと、内壁面としての第１内壁面３４１ｂと、を有する。第１上面部３４１ａは、上端部側に形成され、底面部３３の延びる方向に沿って延びる面である。第１内壁面３４１ｂは、第１上面部３４１ａから略直交して屈曲し、底面部３３に向かって延びている。第１内壁面３４１ｂは、第１側壁部３４１の内側の面を構成する。
【００２５】
第２側壁部３４２は、箱本体部３１の長手方向に沿うとともに、第１側壁部３４１に対向して配置されている。図３に示すように、第２側壁部３４２は、所定の厚みを有し、内部が中空に形成されている。第２側壁部３４２は、上面としての第２上面部３４２ａと、内壁面としての第２内壁面３４２ｂと、を有する。第２内壁面３４２ｂは、第２上面部３４２ａから屈曲し、底面部３３に向かって延びている。第２内壁面３４２ｂは、第２側壁部３４２の内側の面を構成する。第２内壁面３４２ｂと第１内壁面３４１ｂとの間の距離は、脚部２２の長さよりもわずかに短く、例えば、１ｍｍ〜３ｍｍ程度短い。
【００２６】
第３側壁部３４３及び第４側壁部３４４は、箱本体部３１の短手方向に延びるとともに、互いに対向して配置されている。
【００２７】
蓋係止部３５は、第２内壁面３４２ｂに対向する第２側壁部３４２の外壁部３４２ｃと、第２上面部３４２ａとの境界に沿って、長手方向の略中央部に形成される切り込みである。
【００２８】
支持部４は、箱本体部３１の第１側壁部３４１及び第２側壁部３４２に、所定の間隔を開けて並び、複数形成されている。支持部４は、シール部材２４の外径を考慮して、隣り合う留め具２同士のシール部材２４がくっつかない程度の間隔を開けて形成される。また、支持部４は、第１側壁部３４１に形成される第１支持部４１と、第１支持部４１に対向して第２側壁部３４２に形成される第２支持部４２と、を有する。
【００２９】
図１に戻って、第１支持部４１は、切欠きにより形成される。第１支持部４１の切欠きは、第１側壁部３４１の第１上面部３４１ａから第１内壁面３４１ｂに亘って設けられ、上面部切欠き４１ａと、内壁面切欠き４１ｂと、により構成される。
【００３０】
上面部切欠き４１ａは、第１上面部３４１ａ側に形成される。図３に示すように、上面部切欠き４１ａは、横長の長方形の形状を有する。上面部切欠き４１ａは、留め具２の頭部２１を内部に収容可能なように、長手方向が頭部２１の外径よりもやや大きく、短手方向が頭部２１の高さ方向の寸法よりもやや大きい寸法を有する。
【００３１】
内壁面切欠き４１ｂは、略三角形の案内部４１１と首部挿入部４１２により構成されている。案内部４１１は、上面部切欠き４１ａから、漸次縮径して首部挿入部４１２へ連続する。首部挿入部４１２は、首部２３の外径よりもわずかに大きな幅を有し、案内部４１１の下方に配置されている。首部挿入部４１２は、第１内壁面３４１ｂにおける底面部３３から所定の高さ上方に離間した位置に配置されている。所定の高さとは、首部挿入部４１２に首部２３を配置した状態で、脚部２２の外側を被覆するシール部材２４が底面部３３に着かない位置である。例えば、底面部３３から首部挿入部４１２の下端までの高さＨは、５ｍｍ〜７ｍｍである。
【００３２】
図４は、図３のＡ−Ａ線断面図である。図５は、箱本体部３１の展開図である。図４及び図５に示すように、第２支持部４２は、第２内壁面３４２ｂに設けられた孔により形成される。図５に示すように、第２支持部４２は、第２内壁面３４２ｂに十字状に形成される切り込みを有し、十字状の切り込みの中心部が留め具２の先端部２２ａに押されることで孔となる。第２支持部４２は、首部挿入部４１２と対向する位置に形成されている。詳細には、第２支持部４２は、首部挿入部４１２に首部２３を配置した状態で、留め具の中心軸が第２内壁面３４２ｂに交差する位置に位置合わせされる。
【００３３】
蓋部３２は、底面部３３と略同形の平坦な長方形で形成され、箱本体部３１の開口を覆う。図５に示すように、蓋部３２は、長手方向に沿う一方の側縁が底面部３３に側壁部３４を介して連続している。蓋部３２は、舌片部３２ａを有する。舌片部３２ａは、長手方向に沿う他方の側縁の略中央部に、外側へ向かって突出する。舌片部３２ａは、蓋部３２を閉じた状態で、蓋係止部３５に挿入される。
【００３４】
以上の梱包箱３は、紙材の表面をプラスチックフィルムで被覆した材料からなる。詳細には、パルプ等により構成される紙材の表面を、ポリエチレン、ポリプロピレン又はシリコーン等のプラスチック材料で被覆した材料により構成されている。
【００３５】
次に、留め具２の梱包構造１の使用の状態について説明する。留め具２は、第１側壁部３４１に形成された第１支持部４１の上面部切欠き４１ａに頭部２１が挿入されて、第１支持部に支持されている。首部２３は、首部挿入部４１２に配置される。また、首部２３から延びる脚部２２の先端部２２ａは、第２側壁部３４２に形成された第２支持部４２の孔に挿入される。脚部２２の先端部２２ａは、孔から第２側壁部３４２の内部の中空の空間に突き出て収容され、第２支持部４２に支持されている。この状態では、留め具２の頭部２１と脚部２２の先端部２２ａとが、第１側壁部３４１及び第２側壁部３４２に形成された支持部４に支持されて固定されている。このため、脚部２２は底面部３３に着かずに宙に浮いた状態になっている。この状態では、脚部２２を被覆している粘着性のシール部材２４が底面部３３にくっついていない。
【００３６】
また、箱本体部３１は、第１側壁部３４１〜第４側壁部３４４を有し、第１側壁部３４１及び第２側壁部３４２は所定の厚みを有することから、第１上面部３４１ａ及び第２上面部３４２ａを有している。このため、箱本体部３１の開口を蓋部３２で覆ったときに、蓋部３２の四辺がこれらの第１側壁部３４１〜第４側壁部３４４やその第１上面部３４１ａ及び第２上面部３４２ａにより支持されるので、梱包箱３はつぶれにくい。
【００３７】
屋根等の高所で、シール部材２４により被覆された留め具２をネジ留めする作業者は、留め具２を梱包箱３に収容した状態で、梱包箱３を作業着のポケット等に入れ、高所へ上がって作業をする。この際、留め具２のシール部材２４が一本一本リケイ紙等に被覆されておらず、梱包箱３から取り出すだけで直ちに使用する。
【００３８】
第１実施形態によれば、以下の効果が奏される。
第１実施形態では、留め具２の梱包構造１において、留め具２を、頭部２１及び頭部２１から延びる脚部２２により構成し、脚部２２の先端部２２ａを除く少なくとも一部が粘着性のシール部材２４により被覆した。また、留め具２の梱包構造１を、頭部２１及び脚部２２の先端部２２ａを支持して留め具２を固定する支持部４を含んで構成した。
【００３９】
第１実施形態によれば、留め具２が粘着性のシール部材２４により被覆されていても、留め具２の頭部２１と脚部２２の先端部２２ａが支持部４により支持される。このため、リケイ紙等により被覆しなくとも、シール部材２４が他の留め具２等に粘着することを防止することができる。よって、リケイ紙を剥がす必要がなくなり、剥がした後のリケイ紙によるごみも発生しなくなるため、施工性が向上する。また、留め具２の梱包構造１ごとポケット等に入れて作業場所へ持ち運ぶことができる。さらに、留め具が頭部２１と脚部２２の先端部２２ａが支持されているので、留め具２同士がくっつかない状態を維持して輸送が容易になる。
【００４０】
また第１実施形態では、留め具の梱包構造１に、所定の間隔を空けて配置される支持部４を複数設けた。これにより、隣り合う留め具２同士の間が離間するので、隣り合う留め具２のシール部材２４がくっつかない。
【００４１】
また第１実施形態では、留め具の梱包構造１に、開口を有し、留め具２を収容する箱本体部３１をさらに含んで構成し、箱本体部３１を、矩形状の底面部３３と、底面部３３の周囲から起立する側壁部３４と、を含んで構成し、支持部４を、側壁部３４を構成する第１側壁部３４１に形成され、頭部２１を支持する第１支持部４１と、側壁部３４を構成し且つ第１側壁部３４１に対向する第２側壁部３４２に第１支持部４１に対向して形成され、脚部２２の先端部２２ａを支持する第２支持部４２と、を含んで構成した。
これにより、箱本体部３１の側壁部３４が底面部３３の周囲から起立しているので、蓋部３２により覆われると、箱本体部３１がつぶれにくくなる。また、留め具２が側壁部により周囲を囲まれて、蓋部３２により箱本体部３１が塞がれることで、ごみや塵が箱本体部３１の中に入りにくく、ごみや塵がシール部材２４に付着しにくい。また、第１支持部４１及び第２支持部４２が側壁部３４に形成されているため、シール部材２４が底面部３３に着くことなく留め具２を梱包することができる。
【００４２】
また第１実施形態では、第１側壁部３４１を、中空状に形成し、第１支持部４１を、第１側壁部３４１の第１上面部３４１ａから第１内壁面３４１ｂに亘って設けられた切欠きにより形成した。これにより、留め具２の頭部２１側が第１上面部３４１ａから第１内壁面３４１ｂに亘って設けられた切欠きにより確実に支持されるので、留め具２が蓋部３２や底面部３３にくっつきにくい。
【００４３】
また第１実施形態では、第２側壁部３４２を、中空状に形成し、第２支持部４２を、第２側壁部３４２の第２内壁面３４２ｂに設けられた孔により形成した。これにより、留め具２の脚部２２の先端部２２ａが第２側壁部３４２の第２内壁面３４２ｂに設けられた孔により確実に支持されるので、留め具２が蓋部３２や底面部３３にくっつきにくい。
【００４４】
また第１実施形態では、箱本体部３１の開口を覆う蓋部３２をさらに含んで構成し、箱本体部３１及び蓋部３２を、紙材の表面をプラスチックフィルムで被覆した材料により構成した。これにより、仮にシール部材２４が箱本体部３１又は蓋部３２に付着した場合であっても、シール部材２４を容易に剥がすことができ、留め具２の梱包構造１が取扱いやすい。
【００４５】
図６は、第２実施形態の留め具の梱包構造１Ａを示す斜視図である。説明の便宜のため、図６において、留め具２を一本省略している。
図６を参照して、本発明の第２実施形態について説明する。第２実施形態の留め具の梱包構造１Ａは、梱包箱を用いずに、所定の厚みを有する帯状部材５に支持部４Ａを設ける点で第１実施形態と相違する。第２実施形態では、留め具の梱包構造１Ａは、特に説明しない点については第１実施形態と同様の構成及び効果を有する。
図６に示すように、第２実施形態に係る留め具の梱包構造１Ａは、第１実施形態と同様の留め具２を収容する帯状部材５を有する。
【００４６】
帯状部材５は、巻いてまとめることが可能な柔軟性を有する、可撓性の樹脂等で構成される。帯状部材５は、断面視で一方が開口したコの字状に形成されている。帯状部材５は、第１側壁部５１Ａと、第２側壁部５２Ａと、帯状本体部５３と、凹部５４と、支持部４Ａと、を有する。
【００４７】
帯状本体部５３は、長手方向に延び、所定の幅を有する平坦な部材である。
第１側壁部５１Ａは、帯状本体部５３の幅方向の一方に配置され、帯状本体部５３の延びる方向に直交する方向に起立する。第１側壁部５１Ａは、帯状本体部５３の長手方向に沿って形成されている。
第２側壁部５２Ａは、第１側壁部５１Ａに向かい合って帯状本体部５３の幅方向の他方に配置され、帯状本体部５３の延びる方向に直交する方向に起立する。第２側壁部５２Ａは、第１側壁部５１Ａと同じ高さを有する。
凹部５４は、第１側壁部５１Ａ及び第２側壁部５２Ａの内側の空間であり、帯状本体部５３と、第１側壁部５１Ａと、第２側壁部５２Ａと、により囲まれて形成される。
【００４８】
支持部４Ａは、帯状部材５の長手方向に所定の間隔をあけて複数形成されている。支持部４Ａは、第１支持部４１Ａと、第２支持部４２Ａとを有する。
【００４９】
第１支持部４１Ａは、第１側壁部５１Ａに形成される。第１支持部４１Ａは、第１側壁部５１Ａにおける上端縁に設けられた切欠きである。切欠きは、第１側壁部５１Ａの上端縁側が開口した略Ｕ字状に形成される。切欠きは、留め具２の首部２３の径よりわずかに大きい幅を有する。第１支持部４１Ａは、首部２３が切欠きに挿入された状態で、第１側壁部５１Ａにより留め具２の頭部２１を支持する。
【００５０】
第２支持部４２Ａは、第２側壁部５２Ａに形成される。第２支持部４２Ａは、第２側壁部５２Ａに形成された孔である。孔は、第１支持部４１Ａに対向する位置に配置され、より詳細には、第１支持部４１Ａに首部２３が挿入された状態で、留め具２の中心軸が貫通する位置に形成される。第２支持部４２Ａは、第１支持部４１Ａに首部２３が挿入された状態で、脚部２２の先端部２２ａが挿通する。帯状部材５は可撓性の樹脂で形成されているため、先端部２２ａを第２支持部４２Ａに挿通させる際には、第２側壁部５２Ａを外側へ反らすように弾性変形させればよい。
【００５１】
次に、第２実施形態における留め具の梱包構造１Ａの使用の状態について説明する。
図６に示すように、留め具２を、頭部２１が第１支持部４１Ａに支持させ、脚部２２の先端部２２ａが第２支持部４２Ａに支持させた状態で、脚部２２が帯状部材５の凹部５４に収容する。そして、留め具２を帯状部材５の長手方向に沿って所定間隔をあけて複数配置し、支持部４Ａに支持させる。
この状態で、可撓性の帯状部材５を巻くと、凹部５４における開口部側が、巻き付けた状態で帯状部材５の他の部分における帯状本体部５３の裏面に当接し、凹部５４の開口部が帯状本体部５３の裏面で塞がれる。なお、帯状部材５を巻いた際に中心側に位置する帯状部材５の端部は、第１側壁部５１Ａ及び第２側壁部５２Ａを有さない帯状本体部５３のみで構成される。このため、帯状部材５を巻いた際にも、中心側に位置する留め具２のシール部材２４が、帯状本体部５３の端部に接触するので、隣接又は向かい合う留め具２のシール部材２４同士がくっつかない。
【００５２】
第２実施形態によれば、第１実施形態と同様の効果が奏されるとともに、帯状部材５の長さを調整することで梱包できる留め具２の数を調整することができる。また、帯状部材５を巻いて収納することで、留め具の梱包構造１Ａをコンパクトにすることができる。
【００５３】
なお、本発明は上記実施形態に限定されるものではなく、本発明の目的を達成できる範囲での変形、改良等は本発明に含まれる。
例えば、第１記実施形態では、梱包箱３に留め具２が一列に１０本並んで収容されているが、梱包箱の形状や留め具の本数はこれに限られない。
また、第１及び第２記実施形態では、留め具２はネジであるが、これに限られない。頭部と脚部を備え、シール部材を有する留め具であれば、釘やビス等であってもよく、種類は限定されない。
【符号の説明】
【００５４】
１、１Ａ    留め具の梱包構造
２    留め具
４    支持部
２１  頭部
２２  脚部
２２ａ  先端部
２４  シール部材
３１  箱本体部
３２  蓋部
３３  底面部
３４  側壁部
３４１  第１側壁部
３４２  第２側壁部
４１、４１Ａ  第１支持部
４２、４２Ａ  第２支持部
【図１】
0006306453.tif 000002
【図２】
0006306453.tif 000003
【図３】
0006306453.tif 000004
【図４】
0006306453.tif 000005
【図５】
0006306453.tif 000006
【図６】
0006306453.tif 000007